(57)【要約】本発明はタイマーを利用してユーザーの危険状態情報を共有する方法およびその装置に関するものであって、本発明の一実施例は、前記ユーザーによって設定された前記タイマーのカウントダウンのための時間範囲情報を前記ユーザー端末から受信する段階、前記ユーザー端末から前記タイマーのカウントダウンの実行要請を受信する場合、前記時間範囲の間前記タイマーのカウントダウンを実行する段階および前記カウントダウンが実行された時点から前記カウントダウンが終了する前まで前記ユーザー端末から危険状態解除要請を受信しない場合、前記ユーザーの危険状態情報をあらかじめ定められた少なくとも一つ以上の受信者端末で共有する段階を含んで構成され得る。【選択図】図３
2020511707.tif 000002
【特許請求の範囲】
【請求項１】
サーバーがタイマーを利用してユーザーの危険状態情報を共有する方法において、
前記ユーザーによって設定された前記タイマーのカウントダウンのための時間範囲情報を前記ユーザー端末から受信する段階；
前記ユーザー端末から前記タイマーのカウントダウンの実行要請を受信する場合、前記時間範囲の間前記タイマーのカウントダウンを実行する段階；および
前記カウントダウンが実行された時点から前記カウントダウンが終了する前まで前記ユーザー端末から危険状態解除要請を受信しない場合、前記ユーザーの危険状態情報をあらかじめ定められた少なくとも一つ以上の受信者端末で共有する段階；を含む、タイマーを利用してユーザーの危険状態情報を共有する方法。
【請求項２】
前記カウントダウンが実行された時点から前記カウントダウンが終了する前まで前記ユーザー端末から危険状態解除要請を受信する場合、前記タイマーを終了するものの、前記ユーザーの危険解除を知らせる危険解除メッセージを前記ユーザー端末に表示する段階；をさらに含むことを特徴とする、請求項１に記載のタイマーを利用してユーザーの危険状態情報を共有する方法。
【請求項３】
前記危険状態解除要請は前記ユーザーの暗証番号情報または指紋情報のうち少なくとも一つ以上をさらに含んで行われるものの、
前記暗証番号情報は第１暗証番号情報または第２暗証番号情報のうちいずれか一つを含んで構成され、前記指紋情報は第１指紋情報または第２指紋情報のうちいずれか一つを含んで構成されることを特徴とする、請求項２に記載のタイマーを利用してユーザーの危険状態情報を共有する方法。
【請求項４】
前記危険状態解除要請に前記第１暗証番号情報または前記第１指紋情報のうち少なくとも一つが含まれた場合、前記タイマーを終了し前記危険解除メッセージを前記ユーザー端末に表示するものの、
前記危険状態解除要請に前記第２暗証番号情報または前記第２指紋情報のうち少なくとも一つが含まれた場合、前記あらかじめ定められた少なくとも一つ以上の受信者端末で前記ユーザーの危険状態情報を共有することを特徴とする、請求項３に記載のタイマーを利用してユーザーの危険状態情報を共有する方法。
【請求項５】
前記カウントダウンが実行された時点から前記カウントダウンが終了する前まで、前記ユーザー端末から前記カウントダウンのための時間範囲情報の延長要請を前記第１暗証番号情報または前記第１指紋情報のうち少なくとも一つとともに受信する場合、前記時間範囲情報をあらかじめ定められた範囲の時間だけ延長することを特徴とする、請求項４に記載のタイマーを利用してユーザーの危険状態情報を共有する方法。
【請求項６】
前記ユーザーの危険状態情報が共有される前記受信者端末は、警察署、消防署、医療機関のうち少なくとも一つ以上を含む安全機関の端末および前記ユーザーが既設定した少なくとも一つ以上の他のユーザー端末を含んで構成されることを特徴とする、請求項１に記載のタイマーを利用してユーザーの危険状態情報を共有する方法。
【請求項７】
前記カウントダウンが実行された時点から前記カウントダウンが終了する前まで前記ユーザー端末から危険状態解除要請を受信しない場合、前記ユーザー端末の音声録音機能および映像録画機能を実行させるように制御することを特徴とする、請求項１に記載のタイマーを利用してユーザーの危険状態情報を共有する方法。
【請求項８】
前記タイマーのカウントダウンの実行要請は、前記ユーザーの入力またはあらかじめ定められた基準が満たされる場合に前記ユーザー端末によって伝送されるものであり、
前記あらかじめ定められた基準は、特定の時間、特定位置、あらかじめ定められた大きさの速力の変化、前記ユーザー端末で以前にタイマーが作動した時点の状態と同じ状態の到来またはあらかじめ定められた程度のユーザー身体状態変化を含んで構成されることを特徴とする、請求項１に記載のタイマーを利用してユーザーの危険状態情報を共有する方法。
【請求項９】
対話型インターフェースを利用して前記ユーザーにあらかじめ定められた少なくとも一つ以上の質問または案内情報を表示するものの、
前記ユーザーから入力された返答内容を利用して前記ユーザーの状況情報を収集し、前記取集した状況情報に基づいて前記タイマーのカウントダウンを実行することを特徴とする、請求項１に記載のタイマーを利用してユーザーの危険状態情報を共有する方法。
【請求項１０】
前記カウントダウンが実行されると、前記ユーザー端末と前記受信者端末間のオンライン対話が遂行され得るオンラインチャットルームが開設され、
前記あらかじめ定められた時間が経過するまで前記ユーザー端末から安全状態情報が入力される場合、前記オンラインチャットルームは終了することを特徴とする、請求項１に記載のタイマーを利用してユーザーの危険状態情報を共有する方法。
【請求項１１】
前記危険状態情報は、前記ユーザーの危険状態を表示するウェブページと連結されるようにするためのウェブリンク（ｗｅｂ−ｌｉｎｋ）情報を含むＳＭＳ（Ｓｈｏｔｒ  Ｍｅｓｓａｇｅ  Ｓｅｒｖｉｃｅ）メッセージであることを特徴とする、請求項１に記載のタイマーを利用してユーザーの危険状態情報を共有する方法。
【請求項１２】
少なくとも一つ以上の指定項目からなる一つ以上のシナリオがあらかじめ設定されており、
前記ユーザーが前記シナリオのうちいずれか一つを選択する場合、前記選択されたシナリオに含まれた少なくとも一つ以上の指定項目により前記タイマーのカウントダウンの実行および前記危険状態情報の共有が遂行され、
前記指定項目は、タイマー作動時間範囲、ユーザーの安全状態確認周期、前記危険状態情報に含まれるユーザーの位置関連情報の内容および前記危険状態情報が伝送される受信者端末の情報を含んで構成されることを特徴とする、請求項１に記載のタイマーを利用してユーザーの危険状態情報を共有する方法。
【請求項１３】
タイマーを利用してユーザーの危険状態情報を共有する装置において、
一つ以上のユーザー端末とデータ通信を遂行する通信部；および
前記危険状態情報を共有する装置の動作を制御する制御部を含んで構成されるものの、
前記制御部は、前記ユーザーによって設定された前記タイマーのカウントダウンのための時間範囲情報を前記ユーザー端末から受信し、
前記ユーザー端末から前記タイマーのカウントダウンの実行要請を受信する場合、前記カウントダウンのための時間範囲の間前記タイマーのカウントダウンを実行し、
前記カウントダウンが実行された時点から前記カウントダウンが終了する前まで前記ユーザー端末から危険状態解除要請を受信しない場合、あらかじめ定められた少なくとも一つ以上の受信者端末で前記ユーザーの危険状態情報を共有するように制御することを特徴とする、タイマーを利用してユーザーの危険状態情報を共有する装置。
【発明の詳細な説明】
【技術分野】
【０００１】
本発明はタイマーを利用してユーザーの危険状態を共有する方法およびその装置に関する。より具体的には、カウントダウンの実行要請が入力された場合、あらかじめ設定された時間範囲の間タイマーのカウントダウンを遂行するものの、前記タイマーが終了する前までユーザーから危険状態解除要請を受信しない場合、前記ユーザーの危険状態情報をあらかじめ定められた一つ以上の受信者端末で共有する方法およびその装置に関する。
【背景技術】
【０００２】
最近、社会的弱者の範疇に属する女性、子供および老弱者を対象とする犯罪の発生率が急激に増加している。
【０００３】
特に、最近では強姦、強制わいせつのように、女性を対象とする犯罪が発生する確率の減少幅が他の犯罪に比べて最も少ないものと展望されており、最近行政自治部が公開した住民登録人口統計資料によると、１人暮らしの所帯主は総７３６万１０６人であって、このうち２０〜３０代の女性が最も大きな比重を占めているため、社会的弱者のうち女性を対象とする犯罪の発生は今後も減らず引き続き発生するものと予想されているのが実情である。
【０００４】
過去には前記社会的弱者を含むほとんどの人々の場合、日没以降の時間には外出をしないかあるいは家に帰宅する傾向を見せていたが、最近社会の発展につれて、繁華街のおもて看板および区画ごとに設置された街路灯の数が増加するようになった。このような現象は現代社会の生活パターンに大きな変化を呼び起こして、より多くの人々が遅い時間まで外部活動をする傾向を見せるようになった。
【０００５】
前記のように、より多くの人々が遅い時間まで外部活動をするようになる現象は、人々の外部活動可能時間を増加させるという長所を提供したが、その反面、その人達に、外部で発生する犯罪の危険にさらされる確率もさらに増加させる原因として作用するようになった。
【０００６】
その結果、現在の時代に住んでいる多くの人々は、暴力、強盗、殺人、性暴行、拉致などの威嚇的な犯罪事件の被害者として多様な危険に陥る可能性もある状況に直面している状態である。
【０００７】
それに伴い、最近繁華街、道路の他にも、住宅街、路地などの地域の処々に多数のＣＣＴＶが設置されており、犯罪発生の予防にある程度寄与はしているものの、前記ＣＣＴＶの場合、犯罪予防よりは犯罪が発生した以降の現場の分析などのために使われる場合がより多いため、実質的な犯罪予防の効果はまだ足りないのが現状である。一方、前記のような犯罪事件は主に深夜時間に発生するものの、必ずしもそのような時間的制限があるものではなく、特にエレベーター、路地、タクシー、公衆トイレ、住宅など、人々の視線から狭い露出範囲を有する場所では犯罪事件が具体的な時間に束縛されず頻繁に発生している。
【０００８】
従来には、前記のような犯罪事件が発生した場合、危急状況に置かれた被害者が他人に助けを要請できるように、小型化された助け要請装置などが製作されて普及したこともあるが、犯罪事件が起きている緊迫で混乱な状況で被害者がこのような装置などを利用してリアルタイムで他人に助けを要請するということは現実的に困難であるため、その実効性が足りないという問題点が存在している。
【０００９】
ところで、前記のように被害者が予想できない状況で発生する犯罪事件の場合にはその予防や対応が非常に困難であり得るが、もしある程度予想される状況、すなわち暗い路地を歩いていかなければならない状況、深夜タクシーに乗って家に帰宅しなければならない状況、住宅に正確な身元を確認し難い訪問者が訪ねてきた状況などのように、犯罪事件が起きる可能性があることをある程度予見できる状況の場合には、本人自ら特別に注意を払ったりあるいはあらかじめ自らを保護するための措置を取っておくと、前記のような犯罪事件の発生などを相当部分予防できるであろうし、あるいは迅速な保護要請を通じて迅速な対処が可能であり得る。
【００１０】
もし、前述した通り、犯罪事件が起きる可能性がある程度予見され得る状況で、もし本人自ら単に注意を払うことの他に犯罪事件が発生しないことを解除条件として、あらかじめ外部に保護要請を遂行できるのであれば、犯罪事件が起きている緊迫な瞬間に被害者が別途の措置を取らずとも、あるいは他人に別途の保護要請を遂行せずとも前記のような犯罪事件が発生する確率を最大限減少させるものの、犯罪事件による被害を最小化できるはずである。したがって、前記の問題点を解決するための前記のような解決方案が要求されているのが実情である。
【発明の概要】
【発明が解決しようとする課題】
【００１１】
本発明の目的は、タイマーを利用してユーザーの危険状態を共有する方法を提案するところにある。
【００１２】
本発明のさらに他の目的は、あらかじめ定められた基準により実行されたタイマーのカウントダウンが終了する前まで、ユーザーの危険状態解除要請の入力を受けない場合、ユーザーの危険状態情報を外部装置で共有する方法を提案するところにある。
【００１３】
本発明で達成しようとする技術的課題は前記技術的課題に制限されず、言及していないさらに他の技術的課題は下記の記載から本発明が属する技術分野で通常の知識を有する者に明確に理解されるはずである。
【課題を解決するための手段】
【００１４】
前述した問題点を解決するための本発明の一実施例に係るサーバーがタイマーを利用してユーザーの危険状態を共有する方法は、前記ユーザーによって設定された前記タイマーのカウントダウンのための時間範囲情報を前記ユーザー端末から受信する段階、前記ユーザー端末から前記タイマーのカウントダウンの実行要請を受信する場合、前記時間範囲の間前記タイマーのカウントダウンを実行する段階および前記カウントダウンが実行された時点から前記カウントダウンが終了する前まで前記ユーザー端末から危険状態解除要請を受信しない場合、前記ユーザーの危険状態情報をあらかじめ定められた少なくとも一つ以上の受信者端末で共有する段階を含んで構成され得る。
【００１５】
前述した問題点を解決するための本発明の一実施例に係るタイマーを利用してユーザーの危険状態を共有する装置は、一つ以上のユーザー端末とデータ通信を遂行する通信部および前記危険状態情報を共有する装置の動作を制御する制御部を含んで構成されるものの、前記制御部は、前記ユーザーによって設定された前記タイマーのカウントダウンのための時間範囲情報を前記ユーザー端末から受信し、前記ユーザー端末から前記タイマーのカウントダウンの実行要請を受信する場合、前記カウントダウンのための時間範囲の間前記タイマーのカウントダウンを実行し、前記カウントダウンが実行された時点から前記カウントダウンが終了する前まで前記ユーザー端末から危険状態解除要請を受信しない場合、あらかじめ定められた少なくとも一つ以上の受信者端末で前記ユーザーの危険状態情報を共有するように制御することができる。
【発明の効果】
【００１６】
前記のような本発明によると、下記に記載された効果を得ることができる。ただし、本発明を通じて得ることができる効果はこれに制限されない。
【００１７】
第１、本発明によると、タイマーを利用してユーザーの危険状態を共有する方法が提案され得る効果がある。
【００１８】
第２、本発明によると、あらかじめ定められた基準により実行されたタイマーのカウントダウンが終了する前まで、ユーザーの危険状態解除要請の入力を受けない場合、ユーザーの危険状態情報を外部装置で共有する方法が提案され得る効果がある。
【００１９】
第３、本発明によると、あらかじめ定められた基準により実行されたタイマーのカウントダウンが終了する前まで、ユーザーの危険状態解除要請の入力を受けない場合、ユーザー端末の録音機能および録画機能を活性化させて、前記録音された音声および録画された映像を含むユーザーの危険状態情報を外部装置で共有する方法が提案され得る効果がある。
【００２０】
第４、本発明によると、あらかじめ指定された第１暗証番号情報または第１指紋情報でない第２暗証番号情報または第２指紋情報が入力された場合、ユーザーの危険状態を外部装置で共有する方法が提供され得、危険状態に置かれたユーザーが加害者の圧迫にもかかわらず、ユーザーの危険状態を外部装置で共有できる効果がある。
【００２１】
第５、本発明によると、あらかじめ定められた基準により実行されたタイマーの継続中にユーザーの要請がある場合、前記ユーザーの危険状態情報を外部装置で共有するようにすることによって、危険状態情報を外部装置に共有する前にタイマーが実行されていなければならないという前提条件が含まれているため、ユーザーが単純操作ミスで危険状態を外部装置に知らせる行為が発生することを防止できる効果がある。
【００２２】
第６、本発明によると、タイマーのカウントダウンを実行させるための多様な方法が提案され得る効果がある。
【００２３】
第７、本発明によると、前記のような方法を具現するための装置が提供され得る効果がある。
【００２４】
本発明で達成しようとする技術的課題は前記技術的課題に制限されず、言及していないさらに他の技術的課題は下記の記載から本発明が属する技術分野で通常の知識を有する者に明確に理解されるはずである。
【図面の簡単な説明】
【００２５】
【図１】本発明が適用され得る有無線通信ネットワーク環境を例示する図面である。
【図２】本発明の一実施例に係るサーバー２００のブロック図である。
【図３】本発明の一実施例に係るタイマーを利用してユーザーの危険状態を共有する方法を説明するためのフローチャートである。
【図４】本発明の一実施例に係るタイマーの一例およびあらかじめ定められた条件によってタイマーが実行される一例を図示した図面である。
【図５】本発明の他の一実施例によりあらかじめ定められた条件によってタイマーが実行される一例を図示した図面である。
【図６】本発明のさらに他の一実施例によりあらかじめ定められた条件によってタイマーが実行される一例を図示した図面である。
【図７】本発明の一実施例により危険状態を共有する対象を追加する一例を図示する図面である。
【図８】本発明の一実施例によりタイマーの実行と共に開設されるオンラインチャットルームを説明するための図面である。
【図９】本発明の一実施例によりユーザーが入力する安全状態情報を例示する図面である。
【図１０】本発明の一実施例により位置情報が含まれたユーザーの危険状態情報を外部装置で共有する方法を説明するための図面である。
【図１１】本発明の一実施例によりタイマーの継続中にユーザーの要請がある場合、前記ユーザーの危険状態情報を外部装置で共有する方法を説明するための図面である。
【図１２】本発明の一実施例を遂行するユーザー端末とサーバーの各構成を示すブロック図である。
【発明を実施するための形態】
【００２６】
以下、本発明に係る好ましい実施形態を添付された図面を参照して詳細に説明する。添付された図面と共に以下に開示される詳細な説明は本発明の例示的な実施形態を説明しようとするものであり、本発明が実施され得る唯一の実施形態を示そうとしたものではない。
【００２７】
ただし、本実施例は本発明の掲示を完全なものとし、本発明が属する技術分野で通常の知識を有する者に発明の範疇を完全に知らせるために提供されるものであり、本発明は請求項の範疇によってのみ定義される。
【００２８】
いくつかの場合、本発明の概念が曖昧となることを避けるために公知の構造および装置は省略されたり、各構造および装置の核心機能を中心としたブロック図の形式で図示され得る。また、本明細書の全体で同じ構成要素は同じ図面符号を使って説明する。
【００２９】
明細書の全体において、ある部分がある構成要素を「含む（ｃｏｍｐｒｉｓｉｎｇまたはｉｎｃｌｕｄｉｎｇ）」とする時、これは特に反対の記載がない限り他の構成要素を排除するものではなく他の構成要素をさらに含むことができることを意味する。
【００３０】
また、明細書に記載された「…部」の用語は少なくとも一つの機能や動作を処理する単位を意味し、これはハードウェアやソフトウェアまたはハードウェアおよびソフトウェアの結合で具現され得る。さらに、「一（ａまたはａｎ）」、「一つ（ｏｎｅ）」、および類似関連語は、本発明を記述する文脈において本明細書に別途に指示されるか文脈によって明らかに反論されない限り、単数および複数の両方を含む意味で使われ得る。
【００３１】
併せて、本発明の実施例で使われる特定の用語は本発明の理解を助けるために提供されたものであって、別途に定義されない限り、技術的または科学的な用語を含んでここで使われるすべての用語は、本発明が属する技術分野で通常の知識を有する者によって一般的に理解されるものと同じ意味を有している。このような特定用語の使用は本発明の技術的思想を逸脱しない範囲で他の形態に変更され得る。
【００３２】
以下、本発明に係る好ましい実施形態を添付された図面を参照して詳細に説明する。添付された図面と共に以下に開示される詳細な説明は本発明の例示的な実施形態を説明しようとするものであり、本発明が実施され得る唯一の実施形態を示そうとするものではない。
【００３３】
図１は、本発明が適用され得る有無線通信ネットワーク環境を例示する図面である。
【００３４】
図１を参照すると、本発明が適用され得る有無線通信ネットワーク環境は、ユーザー端末１００、サーバー２００およびネットワーク３００で構成され得る。
【００３５】
ただし、以下で言及される有無線通信ネットワーク環境は図１に図示された構成要素のうち少なくとも一つを含むが必ずしもこれに限定されるものではなく、図１にはそれぞれ一つのユーザー端末、サーバーおよびネットワークだけが図示されているが、これとは異なり本発明が適用され得る有無線通信ネットワーク環境では、一つ以上のユーザー端末、一つ以上のサーバー（例えば、管理サーバー、仲介サーバー、中継サーバーまたはクライアントサーバー）および一つ以上のネットワークが存在することができ、それぞれのユーザー端末およびサーバー間は互いに異なるネットワークを通じて連結され得る。
【００３６】
本発明で、前記ユーザー端末１００は前記サーバー２００を含む他の装置と通信信号を送受信できる装置を意味する概念で解釈され得る。
【００３７】
この時、前記ユーザー端末１００にはあらかじめ一つ以上のアプリケーション（Ａｐｐｌｉｃａｔｉｏｎ）が設置されていてもよく、特に本発明に関連したＡＰＩ（Ａｐｐｌｉｃａｔｉｏｎ  Ｐｒｏｇｒａｍ  Ｉｎｔｅｒｆａｃｅ）またはエンベデッドソフトウェア（Ｅｍｂａｄｅｄ  Ｓｏｆｔｗａｒｅ）を含むアプリケーションが設置されていてもよい。
【００３８】
すなわち、以下で説明される本発明に係る方法は、前記ユーザー端末１００にあらかじめ設置されたＡＰＩまたはエンベデッドソフトウェアを含むアプリケーションまたはそれに含まれたタイマーを通じて行われ得るが、これに制限されず、ウェブサイト（ＷＥＢＳＩＴＥ）を通じて行われてもよい。
【００３９】
一方、前記ユーザー端末１００は自体的に前記サーバー２００にデータまたは信号を伝送したり受信することができ、あるいは前記一つ以上のアプリケーションを通じて前記サーバー２００にデータまたは信号を伝送したり受信することができる。
【００４０】
この時、前記伝送されたり受信されたデータまたは信号は、本発明のために前記ユーザー端末に既設置されたアプリケーションであり得るが、これに制限されはしない。
【００４１】
前記ユーザー端末１００の一例としては、端末装置、ターミナル（Ｔｅｒｍｉｎａｌ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）、ＷＴ（Ｗｉｒｅｌｅｓｓ  ｔｅｒｍｉｎａｌ）、ＭＴＣ（Ｍａｃｈｉｎｅ−Ｔｙｐｅ  Ｃｏｍｍｕｎｉｃａｔｉｏｎ）装置、Ｍ２Ｍ（Ｍａｃｈｉｎｅ−ｔｏ−Ｍａｃｈｉｎｅ）装置、Ｄ２Ｄ装置（Ｄｅｖｉｃｅ−ｔｏ−Ｄｅｖｉｃｅ）装置を含むことができる。
【００４２】
もちろん、あくまでもこれは例示に過ぎず、本発明でのユーザー端末は前述した例示の他にも現在開発されて商用化されたかまたは今後開発されるデータ信号伝送が可能なすべての装置を含む概念として解釈されるべきである。
【００４３】
再び図１を参照すると、サーバー２００は有無線通信ネットワーク環境を通じて少なくとも一つ以上の他の装置とデータの送受信が可能な客体を意味し、本発明で前記サーバー２００は追加的に仲介サーバーおよび／またはクライアントサーバーをさらに含むことができる。
【００４４】
また、前記サーバー２００の一例として、クラウド（Ｃｌｏｕｄ）サーバー、ＩＭＳ（ＩＰ  Ｍｕｌｔｉｍｅｄｉａ  Ｓｕｂｓｙｓｔｅｍ）サーバー、テレフォニーアプリケーション（Ｔｅｌｅｐｈｏｎｙ  Ａｐｐｌｉｃａｔｉｏｎ）サーバー、ＩＭ（Ｉｎｓｔａｎｔ  Ｍｅｓｓａｇｉｎｇ）サーバー、ＭＧＣＦ（Ｍｅｄｉａ  Ｇａｔｅｗａｙ  Ｃｏｎｔｒｏｌ  Ｆｕｎｃｔｉｏｎ）サーバー、ＭＳＧ（Ｍｅｓｓａｇｉｎｇ  Ｇａｔｅｗａｙ）サーバー、ＣＳＣＦ（Ｃａｌｌ  Ｓｅｓｓｉｏｎ  Ｃｏｎｔｒｏｌ  Ｆｕｎｃｔｉｏｎ）サーバーを含むことができ、前記サーバー２００はＰＣ（Ｐｅｒｓｏｎａｌ  Ｃｏｍｐｕｔｅｒ）、ノートブックコンピュータ、タブレットＰＣ（Ｔａｂｌｅｔ  Ｐｅｒｓｏｎａｌ  Ｃｏｍｐｕｔｅｒ）等のデータを送受信できる客体を指し示す装置で具現されてもよい。
【００４５】
一方、ネットワーク３００は前記ユーザー端末１００および前記サーバー２００間のテキスト（Ｔｅｘｔ）、デジタルイメージ、デジタル映像、デジタル音声情報などの多様な種類のデータを送受信するためのデータ通信網を意味し、その種類は特に制限されない。
【００４６】
例えば、インターネットプロトコル（ＩＰ）を通じて大容量データの送受信サービスを提供するＩＰ（ＩＰ：Ｉｎｔｅｒｎｅｔ  Ｐｒｏｔｏｃｏｌ）網または互いに異なるＩＰ網を統合したオールＩＰ（Ａｌｌ  ＩＰ）網であり得る。
【００４７】
また、前記ネットワーク３００は、有線網、Ｗｉｂｒｏ（Ｗｉｒｅｌｅｓｓ  Ｂｒｏａｄｂａｎｄ）網、ＷＣＤＭＡ(登録商標)を含む移動通信網、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）網およびＬＴＥ（Ｌｏｎｇ  Ｔｅｒｍ  Ｅｖｏｌｕｔｉｏｎ）網を含む移動通信網、ＬＴＥ  ａｄｖａｎｃｅｄ（ＬＴＥ−Ａ）を含む移動通信網、衛星通信網およびＷｉ−Ｆｉ（Ｗｉ−Ｆｉ）網のうち一つであるかまたはこれらのうち少なくとも一つ以上を結合して構成され得る。
【００４８】
図２は、本発明の一実施例に係るサーバー２００のブロック図である。
【００４９】
図２を参照すると、ユーザーの危険状態の共有と関連して、前記サーバー２００はインターネット網を通じてデータを送受信するデータ通信部２０１、ユーザー端末のタイマーの実行／終了の可否を判断するタイマー制御手段２０２、ユーザー端末に対話型インターフェースを提供してユーザーに一つ以上の質問または案内情報を表示するものの、それに対する応答として入力されたユーザーの返答内容を利用してユーザーの状況情報を収集する対話型インタフェース制御手段２０３、タイマーが実行される間ユーザー端末と受信者端末間のオンライン対話が実行され得るオンラインチャットルームを前記ユーザー端末に提供するためのオンラインチャットルーム制御手段２０４を含んでいてもよい。
【００５０】
前記データ通信部２０１は専用線または有／無線インターネット網を通じてデータを送受信できる機能を含んでいる。インターネット網を通じて入力されるデータは、ユーザーの安全状態情報、タイマーの実行と関連したあらかじめ定められた条件と関連した情報、対話型インターフェースに入力されたユーザーの返答内容などのような情報であり、出力される情報はタイマー実行通知メッセージ、オンラインチャットルーム関連情報、危険状態共有メッセージなどである。
【００５１】
その他に、本発明では前述した各構成によって収集または伝達されるデータを保存するデータベース（ＤＢ）２０５がさらに含まれ得る。これに対する詳細な説明は後述することにし、ここで、前記データベース２０５はそれらの全部または図示されてはいないが本発明と関連して必要な追加データベースをさらに含むことができる。
【００５２】
図３は、本発明の一実施例に係るタイマーを利用してユーザーの危険状態を共有する方法を説明するためのフローチャートである。
【００５３】
図３を参照すると、本発明の一実施例に係るタイマーを利用してユーザーの危険状態を共有する方法は、サーバーおよびユーザー端末によって行われ得る。
【００５４】
本発明の実施のために、前記ユーザー端末には本発明に関連したＡＰＩ（Ａｐｐｌｉｃａｔｉｏｎ  Ｐｒｏｇｒａｍ  Ｉｎｔｅｒｆａｃｅ）またはエンベデッドソフトウェア（Ｅｍｂａｄｅｄ  Ｓｏｆｔｗａｒｅ）を含むアプリケーションが設置されていてもよく、前記サーバーは前記アプリケーションを制御することができる。
【００５５】
ただし、本発明の一実施例に係る方法は、その方法の実施のために別途に製作された移動式装置によっても具現され得る。ただし、以下では、説明の便宜のために、本発明に係る方法をサーバーおよびユーザー端末によって行うことを前提として説明することにするが、これに制限されず、前述した通り後述する内容は前記移動式装置によっても具現され得る。
【００５６】
前記移動式装置では、少なくとも一つ以上のハードウェア／ソフトウェアで具現された入力ボタンが含まれていてもよく、前記入力ボタンをクリックする回数乃至クリックする時間により後述する本発明の多様な機能を設定することができる。
【００５７】
再び図３を参照すると、本発明の実施のためにユーザーは、まず前記ユーザー端末を通じてタイマーのカウントダウンのための時間範囲情報を入力することができ、このとき、前記時間範囲情報は時（ｈｏｕｒ）、分（ｍｉｎｕｔｅ）、秒（ｓｅｃｏｎｄ）等の多様な範囲で設定することが可能である。理解の便宜のために図４を参照すると、タイマーの一例が図示されており、図４ａには前記時間範囲情報が１０分に設定されたタイマーの姿が図示されていることを確認することができる。
【００５８】
一方、前記サーバーは前記ユーザーによって設定された時間範囲情報を前記ユーザー端末から受信することができ、前記時間範囲情報は前記タイマーのカウントダウンのためのものであり得る。
【００５９】
前記入力された時間範囲がタイマーに設定された後、前記サーバーが前記ユーザー端末から前記タイマーのカウントダウンの実行要請を受信すれば、前記サーバーは前記時間範囲の間前記タイマーのカウントダウンを実行することができる（Ｓ３０１〜Ｓ３０２）。
【００６０】
この時、前記カウントダウンは、もし前記時間範囲が１０分に設定されている場合、１０：００から始めて０９：５９、０９：５８、０９：５７、０９：５６のように１秒単位で差し引かれながら００：００になるまで進行され得る。
【００６１】
一方、前記カウントダウンが実行されるために必要な前記カウントダウンの実行要請は、前記ユーザーがそれに対する別途の入力を遂行した場合、前記ユーザー端末から前記サーバーに伝送され得、その他にもあらかじめ定められた基準が満たされる場合には前記ユーザーの別途入力がなくても前記ユーザー端末によって前記サーバーに伝送され得る。
【００６２】
すなわち、前記カウントダウンの実行要請は、前記ユーザーの入力により前記サーバーに伝送され得るが、これは前記ユーザーがまもなく犯罪事件が発生し得る気がした状況で、前記ユーザーが自らを保護するための措置として前記タイマーを実行させる場合であると見なすことができる。
【００６３】
例えば、暗い路地を歩いていかなければならない状況、深夜タクシーに乗って家に帰宅しなければならない状況、公衆トイレに入らなければならない状況、誰か後についてきているという事実を認知した状況、人影が少ないところに位置した車に乗ったりおりなければならない状況、住宅に正確な身元を確認し難い訪問者が訪ねてきた状況などと言える。
【００６４】
一方、ユーザーが前記ユーザー端末を通じて前記タイマーのカウントダウンを実行させるための入力をすると、前記カウントダウンの実行要請が前記サーバーに伝送され得、それにより前記サーバーは前記タイマーを実行させて前記ユーザーが既入力した時間範囲の間カウントダウンを遂行するように制御することができる。
【００６５】
また、前記カウントダウンの実行要請は、以下で説明するように、あらかじめ定められた基準が満たされる場合にも前記サーバーに伝送され得る。
【００６６】
図５（ａ）を参照すると、本発明の一実施例によりタイマーのカウントダウンを実行させるための方法として、前記カウントダウンの実行要請が伝送され得るあらかじめ定められた基準を設定する画面が図示されている。ただし、このような画面は設定により変わり得、重要なことはタイマーのカウントダウンを実行させるための多様な条件の設定が可能であるということである。
【００６７】
すなわち、図５（ａ）に図示された通り、本発明では前記ユーザーが所定の危険予測瞬間に別途の入力を加えなくても自動で前記カウントダウンの実行要請が伝送されるように基準乃至条件をあらかじめ設定することができる。
【００６８】
この時、設定できるあらかじめ定められた基準は、（１）既設定された特定の時間になった場合５０１、（２）前記ユーザー端末が既設定された特定の場所に進入した場合（あるいは既設定された特定の場所を基準点とする時、前記基準点から一定範囲内に進入した場合、５０２）、（３）既設定された外部装置と前記ユーザー端末間の連動がなされた後に両者の間隔が所定範囲だけ遠くなった場合、（４）既設定された外部装置の信号（例えば、ｂｅａｃｏｎ（Ｂｅａｃｏｎ）、ブルートゥース（登録商標）信号、ＱＲコード(登録商標)認識など）を前記ユーザー端末が受信する場合５０３、（５）急な速度変化（例えば、１分間に時速５０ｋｍ以上の速度変化が発生した場合等）が起きた場合、（６）前記ユーザー端末をあらかじめ定められた回数および／またはあらかじめ定められた方向に揺さぶる場合、（７）前記ユーザー端末に設置されたアプリケーション内で前記ユーザーと友達関係を結んでいる他のユーザーの要請がある場合のうちいずれか一つを含んで構成され得る。ただし、これは例示的な形態であって、さらに他の方法によって前記カウントダウンの実行要請が伝送され得るようにするための基準乃至条件を設定できることは言うまでもない。
【００６９】
この時、前記外部装置はエレベーター、路地、タクシー、公衆トイレ、住宅などの人々の視線から狭い露出範囲を有する特定の場所あるいはあらかじめ設定された特定の領域に設置された装置であり得、前記外部装置はブルートゥース（登録商標）、ｂｅａｃｏｎまたはＱＲコード(登録商標)などの通信信号を通じて前記ユーザー端末とデータ通信を遂行できる装置乃至道具であり得る。
【００７０】
したがって、前記外部装置が設置されている例えば、危険地域に分類された特定の場所に前記ユーザー端末のユーザーが進入することになって、前記ユーザー端末が前記外部装置から通信信号を受信することになる場合には、前記ユーザー端末に、前記カウントダウンの実行要請が自動で伝送されるように設定され得る。
【００７１】
また、危険地域に分類された場所への進入が予想され得る特定の領域を前記ユーザー端末のユーザーが通り過ぎることになる時、前記特定の領域に設置された前記外部装置と前記ユーザー端末間の連動がなされるようにした後、その後に前記ユーザー端末と前記外部装置との間隔が所定範囲だけ遠くなる場合、前記ユーザー端末を通じて前記カウントダウンの実行要請が自動で伝送されるように設定され得る。
【００７２】
これは、前記ユーザー端末と前記外部装置との間隔が所定範囲だけ遠くなったとすれば、前記ユーザー端末のユーザーが危険地域に分類された特定の場所への進入が行われ得るものと予想され得るためである。
【００７３】
この時、本発明の一実施例によると、前記外部装置は固有の識別番号を含んでいてもよい。例えば、前記外部装置がエレベーターに付着されている場合であれば、図５（ｂ）に図示された通り、エレベーターの固有番号５０４が前記外部装置の固有識別番号に設定され得る。
【００７４】
したがって、本発明では、前記タイマーが終了する前までユーザーの危険状態解除要請が入力されないため前記ユーザーの危険状態情報が少なくとも一つ以上の受信者端末で共有される場合、前記外部装置の固有識別番号が前記ユーザーの危険状態情報とともに前記一つ以上の受信者端末に伝送され得る。
【００７５】
このように、外部装置の固有識別番号が含まれている理由は次の通りである。
【００７６】
例えば、タイマーが終了する前までユーザーの危険状態解除要請が入力されない状況、すなわち、ユーザー（またはユーザー端末）が危険状態に置かれた状況で、前記ユーザーの位置が室外（ｏｕｔｓｉｄｅ）であれば、ＧＰＳ等を通して識別された前記ユーザー端末の位置情報が前記ユーザーの危険状態情報に含まれて一つ以上の受信者端末で共有され得るのであり、このような場合には前記受信者端末側で前記ユーザーの現在の位置を容易に把握できるはずである。
【００７７】
しかし、もし危険状態に置かれた前記ユーザーの位置が室内（ｉｎｓｉｄｅ）であれば、ＧＰＳ等を通じては前記ユーザー端末の位置情報を正確に確認することが難しいため、このような場合には前記一つ以上の受信者端末が前記ユーザーの危険状態情報を受信しても、前記受信者端末側で前記ユーザーの現在の位置を容易に把握することが困難であり得る状況が発生し得る。
【００７８】
したがって、本発明では前記外部装置の固有識別番号が前記ユーザーの危険状態情報とともに伝送されるようにすることによって、これを通じて危険状態に置かれた前記ユーザー（またはユーザー端末）が室内にある場合でも、受信者端末側でその位置を正確に把握することができる。
【００７９】
つまり、本発明では前記ユーザーが所定の危険予測瞬間に別途の入力をしなくても自動で前記カウントダウンの実行要請が伝送され得るように基準乃至条件をあらかじめ設定することができ、これは本発明を利用する一つ以上のユーザーのそれぞれごとに個別的に互いに異なるように設定することができる。
【００８０】
一方、再び図４を参照すると、図４（ｂ）にはユーザーが着用できるウェアラブル装置４００（例えば、生体信号測定装置など）が図示されている。
【００８１】
本発明の生体信号測定装置４００は、図４（ｂ）に個別的に図示してはいないが、生体信号測定部、無線通信部、位置測定部、制御部および手動入力部を含んで構成され得、前記生体信号測定装置４００をユーザーの身体に着用（Ｂｅ  ｗｏｒｎ）させるためのフレームをさらに含んで構成されてもよい。また、発明の実施例により前記生体状態測定装置４００には前記構成要素を省略してもよくあるいはさらに他の構成要素をさらに含んでもよい。
【００８２】
一方、前記生体信号測定装置４００の生体信号測定部は、前記ユーザーの生体信号をセンシングまたは感知することができ、このためにセンシングのための信号を発生させることができる。
【００８３】
ここで、ユーザーの生体信号とは、前記ユーザーの心拍数、体温、皮膚状態（Ｓｋｉｎ  Ｃｏｎｄｉｔｉｏｎ）、体内酸素量などを含むことができ、センシング部が測定できるすべての生体信号をさらに含むことができる。
【００８４】
また、前記生態信号測定部はジャイロセンサ、加速度センサ、近接センサ（Ｐｒｏｘｉｍｉｔｙ  Ｓｅｎｓｏｒ）、圧力センサ、モーションセンサ、指紋認識センサ、虹彩認識センサ、心拍測定センサ（心拍検出センサ）、体温測定センサ、皮膚状態測定センサ（皮膚温度センサ）、皮膚抵抗センサ、心電図センサ、体内酸素測定センサ（酸素量測定センサ）などをすべて含むことができる。
【００８５】
ただし、説明の便宜のために以下では、前記生態信号測定部は前記ユーザーの心拍数を測定する心拍測定センサ、前記ユーザーの移動の有無及びその移動速度を測定するための加速度センサ、前記ユーザーの体温を測定する体温測定センサ、前記ユーザーの皮膚状態を測定する皮膚状態測定センサを含むものと仮定する。
【００８６】
本発明の一実施例において前記生体信号測定装置４００は生体信号測定部を通じて前記生体状態測定装置を着用しているユーザーの生体信号を測定することができる。
【００８７】
例えば、前記生体信号測定装置を着用しているユーザーが犯罪現場に露出しているのであれば、前記生体信号測定装置の心拍測定センサは前記犯罪によって変化するユーザーの心拍の変化を測定することができ、前記心拍測定センサは前記犯罪に起因した前記ユーザーの心拍数の変化を抵抗値の変化を判断して測定することが可能である。
【００８８】
また、前記酸素量測定センサは前記犯罪によって前記ユーザーの呼吸が息苦しくなったりあるいは犯罪行為によってユーザーが呼吸困難となって前記ユーザーの体内に存在している酸素量に急激な変化が発生した場合、前記酸素変化量を測定することができる。
【００８９】
また、前記生体信号測定装置内の皮膚状態測定装置は、前記ユーザーの皮膚に傷害が加えられたり過多出血などが起きる場合、これを測定することもできる。
【００９０】
一方、前記生体信号測定装置４００は前記測定したユーザーの生体信号を利用して前記ユーザーの生体状態を決定することができる。
【００９１】
より具体的には、前記生体状態測定装置は一般の状態におけるユーザーの生体状態の結果が表す値と所定の周期ごとに測定されたユーザーの生体信号が表す値を比較して、前記ユーザーの生体信号が表す値が前記一般の状態の生体状態の結果が表す値とあらかじめ定められた特定値以上の差を有するかの可否を判断して前記ユーザーの生体状態を決定することができる。
【００９２】
ここで前記ユーザーの生体状態を決定するとは、前記ユーザーが正常状態にいる場合に測定され得る前記ユーザーの体温、心拍数、皮膚状態などが、前記ユーザー周辺の環境の変化によりあらかじめ定められた危険水準に達するほど変化したかどうかを決定する過程を意味し、前記ユーザーの生体状態の決定は前記生体信号測定装置の制御部によって具現され得る。
【００９３】
一方、前記ユーザーの生体状態を決定した前記ユーザー生体信号測定装置は、前記センシングまたは測定されたユーザーの生体信号の変化が感知された場合、前記ユーザーの生体信号を含むアラーム信号（ａｌａｒｍ  ｓｉｇｎａｌ）を生成することができる。
【００９４】
前記生成されたアラーム信号は無線通信部（または通信モデム）を通じて外部機器（例えば、本発明のサーバーまたはユーザー端末のように前記生体信号測定装置と有無線通信に連結され得るすべての装置を意味する。）に伝送することができ、このとき前記伝送は近距離通信モジュールまたは無線インターネットモジュールを利用して実行され得、特に前記生体状態測定装置に含まれたｂｅａｃｏｎ（ＢＬＥ）（Ｂｌｕｅｔｏｏｔｈ（登録商標）  Ｌｏｗ  Ｅｎｅｒｇｙ）等を通して伝送され得る。
【００９５】
また、前記生体信号測定装置は位置測定部を含むことができ、前記位置測定部は制御部の制御によりＧＰＳ（Ｇｌｏｂａｌ  Ｐｏｓｉｔｉｏｎｉｎｇ  Ｓｙｓｔｅｍ）またはＢＬＥ（Ｂｌｕｅｔｏｏｔｈ（登録商標）  Ｌｏｗ  Ｅｎｅｒｇｙ）を利用して前記生体信号測定装置ユーザーの位置測定を遂行することができ、無線通信部を通じてその結果を外部機器に伝送することができる。
【００９６】
前記のような過程を経て外部機器に伝送されたユーザーの生体信号を含むアラーム信号および位置情報は、本発明の一実施例によりタイマーの実行をトリガリング（ｔｒｉｇｇｅｒｉｎｇ）することができる。
【００９７】
一方、本発明の一実施例に係る生体信号測定装置は、手首バンド形態のウェアラブル装置あるいはグラス形態のウェアラブル装置、外装型リモコン、腕輪、指輪などの多様な形態で具現され得、これは例示に過ぎず、形態を問わずに具現され得ることは言うまでもない。
【００９８】
一方、前述した通り、あらかじめ定められた条件が達成された場合、前記タイマーを実行させるための前記ユーザーの命令が入力されなくても前記サーバーによって自動でタイマーが実行され得、本発明の一実施例によると、前記あらかじめ定められた条件は２個以上に設定されてもよいため、設定された少なくとも一つ以上の条件がすべて達成された場合に限り、前記タイマーが実行されるように設定され得る。
【００９９】
一方、本発明の一実施例によると、前記サーバーは対話型インターフェースを利用して前記ユーザーにあらかじめ定められた少なくとも一つ以上の質問または案内情報を表示することができる。
【０１００】
図６を参照すると、前記サーバーは対話型インタフェース（例えば、チャットボット）をユーザー端末に提供することができ、ここで前記対話型インターフェースはチャットするロボットであり得る。図６の対話の窓のうち左側は対話型インターフェースで提供される質問または案内情報であり、右側はユーザー端末を通じて入力されたユーザーの返答内容である。
【０１０１】
前記対話型インターフェースは定められた質問または案内情報をユーザー端末に提供し、前記ユーザーの返答に対して定められた応答規則に沿って応答できるように作られたシステムである。
【０１０２】
前記対話型インターフェースは、前記対話型インターフェースを提供するサーバーと前記ユーザー端末間の「要請と応答（Ｒｅｑｕｅｓｔ−Ｒｅｓｐｏｎｓｅ）」構造に従って、前記サーバーあるいはユーザーがメッセンジャー対話の窓に特定のメッセージを入力すると、その相手方は該当メッセージに適合した応答を遂行する方式で行われ得る。
【０１０３】
一方、前記対話型インターフェースを通じては、単純テキストのみを伝達する方式の他にも映像、イメージ、ウェプアドレス（ＵＲＬ）等が単独であるいは結合されて送受信され得る。
【０１０４】
本発明で前記サーバーは前記対話型インターフェースを通じて前記ユーザーから入力された返答内容を利用して前記ユーザーの状況情報を収集し、前記収集した状況情報に基づいて前記タイマーの実行の有無を決定することができる。
【０１０５】
一方、前述した多様な方法により前記タイマーが実行されると、前記サーバーは前記ユーザー端末によって既設定された保護者端末に前記ユーザーのタイマーが実行されたことを知らせる通知メッセージを伝送することができる。
【０１０６】
本発明で、前記ユーザー端末は前記通知メッセージおよび後述する危険状態メッセージが伝送される受信者端末を少なくとも一つ以上設定することができる。
【０１０７】
前記受信者端末は図７に図示された通り、前記ユーザー端末のユーザーが電話帳に保存された特定ユーザーを検索して入力することによって設定することができ、これとは異なり他のユーザー端末を特定できる多様な方法で設定され得る。
【０１０８】
また、前記のように決定された受信者端末に伝送される前記通知メッセージは、前記タイマーの実行が行われた時間情報（例えば、午後１１：０３）、前記タイマーの作動時間範囲情報（例えば、１０分）または前記タイマーの終了時間情報（例えば、午後１１：０９）のうち少なくとも一つ以上を含むことができる。
【０１０９】
一方、前述した多様な方法により前記タイマーが実行されると、前記サーバーは前記受信者端末に前記ユーザーのタイマーが実行されたことを知らせる通知メッセージを伝送することができる。
【０１１０】
本発明で、前記ユーザー端末は前記通知メッセージおよび後述する危険状態メッセージが伝送される受信者端末を少なくとも一つ以上設定することができ、設定された受信者端末に伝送される前記通知メッセージは、前記タイマーの実行が行われた時間情報（例えば、午後１１：０３）、前記タイマーの作動時間範囲情報（例えば、１０分）または前記タイマーの終了時間情報（例えば、午後１１：０９）のうち少なくとも一つ以上を含むことができる。
【０１１１】
本発明で前記タイマーが実行されると、図８に図示された通り前記サーバーは前記ユーザー端末と前記受信者端末間のオンライン対話が遂行され得るオンラインチャットルームを開設することができる。
【０１１２】
前記ユーザー端末と前記受信者端末のそれぞれは、前記開設されたオンラインチャットルームを通じてチャットを遂行することができ、前記オンラインチャットルームを通じて前記受信者端末からメッセージを受信した前記ユーザー端末は、ボタンのクリックまたは返答メッセージを前記受信者端末に伝送することによって応答を遂行できる。
【０１１３】
一方、本発明によると、前述した通りユーザーの入力またはあらかじめ定められた基準により危険が予測される瞬間にあらかじめタイマーが実行され得、前記タイマーが終了するまで前記ユーザーの危険状態解除要請がない場合、第三者に前記ユーザーの危険状態情報が共有され得る。
【０１１４】
一般的に、犯罪事件が起きている急迫で混乱した状況では、被害者が他人に助けを要請するということは現実的に困難でありえるが、本発明によると、犯罪事件が起きている緊迫な状況の中でユーザーが特定の行動（例えば、大声を出すこと、電話申告、助け要請装置のボタンクリック、助け要請など）をせずともあるいはできなくても、犯罪事件が発生しないことを解除条件として外部に助け要請をリアルタイムで遂行できるようになるという格別の効果が存在し得る。
【０１１５】
一方、前記タイマーのカウントダウンを実行した後、前記カウントダウンが終了する前まで前記ユーザー端末から危険状態解除要請を受信しない場合、前記サーバーは前記ユーザーの危険状態情報をあらかじめ定められた少なくとも一つ以上の受信者端末で共有することができる。（Ｓ３０９）
【０１１６】
この時、前記ユーザーの危険状態情報が共有される前記受信者端末は、警察署、消防署、医療機関のうち少なくとも一つ以上を含む安全機関の端末であり得る。それだけでなく前記受信者端末は図７を通じて説明した通り、前記ユーザーが既設定した少なくとも一つ以上の他のユーザー端末（例えば、家族、友達、親戚、ボーイフレンドなど）をさらに含んで構成されてもよい。
【０１１７】
すなわち、本発明では前記ユーザーの危険状態情報が共有され得る受信者端末として、前記安全機関の端末および前記ユーザーの知人などを前記ユーザーがあらかじめ登録することが可能であり得る。
【０１１８】
また、本発明の一実施例によると、前記サーバーは前記カウントダウンが実行された時点から前記カウントダウンが終了する前まで前記ユーザー端末から危険状態解除要請を受信しない場合、前記ユーザー端末の音声録音機能および映像録画機能を実行させるように制御することができる。（Ｓ３０８）
【０１１９】
この場合、あらかじめ定められた少なくとも一つ以上の受信者端末で共有される前記ユーザーの危険状態情報は、前記音声録音機能および前記映像録画機能の実行により生成された音声情報および映像情報（例えば、動画情報および／または写真情報）とともに前記ユーザー端末の位置情報を含んで構成され得る。
【０１２０】
ここで、前記ユーザー端末の位置情報は、前述した通り前記ユーザー端末のＧＰＳ情報などを利用して測定された情報であり得るが、これに制限されず、前記ユーザー端末に連結中のＡＰ（Ａｃｃｅｓｓ  Ｐｏｉｎｔ）等を通して測定された情報でもよい。
【０１２１】
本発明の一実施例によると、前記ユーザー端末の位置情報は一つ以上の位置情報を含んで構成され得、本発明の一実施例によると、前記ユーザー端末の位置情報は、（１）前記ユーザー端末のタイマーが実行される時点に測定されたユーザー端末の位置情報と（２）前記危険状態情報が前記ユーザー端末から前記一つ以上の受信者端末に伝送される時点（あるいは伝送される直前）に測定されたユーザー端末の位置情報であり得る。
【０１２２】
本発明で前記一つ以上の位置情報のそれぞれは、設定により互いに異なる測定方法により測定された位置情報であり得る。また、前記一つ以上の位置情報のそれぞれは、その測定が行われる時ごとに個別的にあらかじめ定められた一つ以上の受信者端末に伝送が行われてもよいが、これとは異なり前記危険状態情報が前記ユーザー端末から前記一つ以上の受信者端末に伝送される時点に前記測定された一つ以上の位置情報がすべて含まれて一度に伝送されてもよい。
【０１２３】
また、前記一つ以上の位置情報のそれぞれは、その測定および伝送時点のそれぞれごとに、全部または一部が互いに同じ受信者端末あるいは互いに異なる受信者端末に伝送されるように設定してもよい。
【０１２４】
本発明で受信者端末に一つ以上の位置情報が伝送されるように設定できる理由は次の通りである。
【０１２５】
例えば、ユーザーの危険状態情報が共有される特定の時点に測定されたユーザー端末の位置情報だけを前記受信者端末に伝送されるようにする場合、もし前記ユーザー端末（またはユーザー）が正確な位置測定が難しい場所（例えば、室内、エレベーター、地下駐車場など）にある状況であるとすれば、前記受信者端末で共有されるユーザー端末の位置情報はその正確度が落ちるため救助行為などの円滑な後続措置が行われることが困難であり得る。
【０１２６】
また、図１０に図示された通り、ユーザーが最初に危険状態を認知したりあるいは最初に危険状態に置かれるようになった場所１００１と実際のユーザーの危険状態情報が共有される場所１００２間には、多様な外部状況（例えば、自動車を利用した拉致など）により一定の距離間隔が存在し得る。
【０１２７】
したがって、本発明の一実施例のように（１）前記ユーザー端末のタイマーが実行される時点に測定されたユーザー端末の位置情報と（２）前記危険状態情報が前記ユーザー端末から前記一つ以上の受信者端末に伝送される時点（あるいは伝送される直前）に測定されたユーザー端末の位置情報皆が前記受信者端末に伝送される場合、より正確に前記ユーザー端末の位置把握が可能であり、危険状態に置かれた前記ユーザー端末（またはユーザー）の移動速度、移動経路などを追跡することができるため、救助行為などの後続措置が円滑に行われ得る。
【０１２８】
また、本発明の一実施例によると、前記サーバーは前記カウントダウンが実行された時点から前記カウントダウンが終了する前まで前記ユーザー端末から危険状態解除要請を受信しない場合、あらかじめ定められた強度の危険通知の音（例えば、サイレンの音など）が前記ユーザー端末を通じて鳴るように制御することができる。
【０１２９】
この時、前記危険通知の音のあらかじめ定められた強度は８６デシベル（ｄＢ）以上の強度に設定されることが好ましいか、これに制限されず、ユーザーの設定により変わり得る。
【０１３０】
一方、本発明の一実施例によると、前記タイマーのカウントダウンを実行すれば、前記サーバーは前記ユーザーがあらかじめ設定した他のユーザーの端末で前記タイマーのカウントダウンが始まったことを知らせる情報を伝送することができる。
【０１３１】
前記タイマーのカウントダウンが始まったことを知らせる情報を受信した前記他のユーザー端末は、前記サーバーを通じてあるいは前記ユーザー端末に直接、状態共有要請メッセージを伝送したりあるいはオンラインチャットルームを開設してメッセージを伝送することができ、この場合、所定の時間範囲が追加的に設定されていてもよい。
【０１３２】
この時、前記状態共有要請メッセージあるいはオンラインチャットルームを通じてのメッセージを受信した前記ユーザー端末は、ボタンのクリックまたは返答メッセージを前記他のユーザー端末に伝送することによって前記状態共有要請に対する応答を遂行できる。
【０１３３】
しかし、もし前記所定の時間が経過するまで前記ユーザー端末から何の応答も伝送されない場合、前記サーバーは前記他のユーザー端末を含む少なくとも一つ以上の受信者端末に前記ユーザーの危険状態情報を共有することができる。
【０１３４】
一方、本発明の一実施例によると、前記タイマーのカウントダウンを実行した後、前記タイマーの前記カウントダウンが終了する前に前記ユーザー端末から危険状態情報共有要請（または危険状態情報通知要請）を受信する場合、前記サーバーは前記ユーザーの危険状態情報をあらかじめ定められた少なくとも一つ以上の受信者端末で共有することができる。
【０１３５】
すなわち、ユーザーがタイマーのカウントダウンを実行した後、前記タイマーのカウントダウンが終了する前にすでに危険状態に置かれることを認知したり確信する場合には、より速かに危険状態情報が共有される必要があるため、まだタイマーのカウントダウンが終了する前であっても前記ユーザーの要請がある場合であれば、あらかじめ定められた一つ以上の受信者端末で前記ユーザーの危険状態情報が共有されるようにするのである。
【０１３６】
例えば、図１１に図示された通り、前記タイマーが、１２時の時針の位置１１０１から始まって再び１２時の時針の位置１１０１に戻ってくるのにかかる時間である１分に時間が設定された場合を想定すると、前記タイマーのカウントダウンを実行した後、前記タイマーのカウントダウンが終了する前まで前記ユーザー端末から危険状態解除要請を受信しない場合に限り、前記ユーザーの危険状態情報が前記一つ以上の受信者端末で共有されるように設定できるだけでなく、まだタイマーのカウントダウンが終了する前、すなわちタイマーが２時の時針の位置１１０２に近接して、まだカウントダウンの終了まで５０秒の時間が残っている状況であっても、もし前記ユーザーの要請がある場合であれば、あらかじめ定められた一つ以上の受信者端末で前記ユーザーの危険状態情報が共有され得るのである。
【０１３７】
従来にも前記のように危急状況に置かれたユーザー（または被害者）が外部の他人に助けを要請できるようにするための小型化された助け要請装置などが存在したが、このような装置は前記ユーザーが救助要請のためのボタンなどを誤って押した場合にも外部の受信者端末で救助要請などが行われ、誤った救助要請が伝送される状況をたびたび発生させたりしたし、それに伴い、何度かの過ちが発生した後、本当に救助要請をした時にもこれを過ちによる救助要請として取り扱い、実際に救助が必要な状況でも救助を受けることができない深刻な問題が発生する場合が存在した。
【０１３８】
しかし、本発明の一実施例では、前記タイマーの継続中に前記ユーザーが別途に危険状態情報共有要請をすると、その時に前記ユーザーの危険状態情報を外部の受信者端末で共有するようにすることによって、ユーザーの要請により危険状態情報を外部装置に共有する前にタイマーが実行されていなければならないという前提条件がさらに含まれ得る。
【０１３９】
したがって、ユーザーが単純操作ミスで危険状態を外部の受信者端末に知らせる行為が発生することを防止できる効果があり、これを通じてタイマー機能が存在しなかった従来の助け要請装置などと比べてエラーを減らすことができる効果がある。
【０１４０】
また、本発明の一実施例に従う時、前記タイマーが実行されている状態で前記ユーザーが別途に危険状態情報共有要請をするための方法としては、あらかじめ設定されたボタンをクリックする場合、前記ユーザー端末をあらかじめ定められた回数および／またはあらかじめ定められた方向に揺さぶる場合、あらかじめ定められた単語（例えば、助けて、助けて、助けてなど）に対する音声表現がある場合、前記タイマーの実行時に設定可能なあらかじめ定められた経路を離脱する場合等の多様な方法が存在し得、その他に設定により多様な方法によって行われ得る。
【０１４１】
一方、前記タイマーのカウントダウンを実行した後、前記カウントダウンが終了する前まで前記ユーザー端末から危険状態解除要請を受信する場合、前記サーバーは前記ユーザー端末のタイマーを終了するように制御することができる。この時、前記サーバーは前記タイマーの終了とともに危険状態が無事に解除されたことを知らせる危険解除メッセージを前記ユーザー端末に共に表示してもよい。
【０１４２】
また、本発明で、前記危険状態解除要請は、図９（ａ）および図９（ｂ）に図示された通り、前記ユーザーの暗証番号情報または指紋情報のうち少なくとも一つ以上をさらに含んで行われ得、本発明の一実施例によると、前記暗証番号情報は第１暗証番号情報または第２暗証番号情報のように複数個の暗証番号が設定され得、前記指紋情報も第１指紋情報または第２指紋情報のように複数個の指紋が設定され得る。
【０１４３】
理解の便宜を助けるために以下でより具体的な例を挙げて説明することにする。もし、ユーザーが第１暗証番号情報は１００４、第１指紋情報は左側親指の指紋を設定したと仮定し、第２暗証番号情報は２５８０、第２指紋情報は右側人差し指の指紋を設定したと仮定する。
【０１４４】
この場合、前記第１暗証番号または前記第１指紋情報のそれぞれについては、前記ユーザーに特別な犯罪状況が発生していないことを示すための解釈と認識されるようにあらかじめ設定され得、前記第２暗証番号または前記第２指紋情報のそれぞれについては前記ユーザーに犯罪状況が発生したが、前記ユーザーが加害者から威嚇を受けている状況であるため、前記ユーザーの危険状態情報を外部の受信者端末で共有することを要請するための解釈と認識されるようにあらかじめ設定され得る。ただし、これはあくまでも例示に過ぎず、設定により変わり得、より多くの数の暗証番号情報乃至指紋情報を設定してもよい。
【０１４５】
したがって、本発明の一実施例によると、前記第１暗証番号情報または前記第１指紋情報のうち少なくとも一つが前記危険状態解除要請に含まれて前記サーバーに伝送された場合、前記サーバーは前記ユーザーに特別な犯罪状況が発生していないものと認識／取り扱い、前記ユーザー端末のタイマーを終了するように制御するものの、前記ユーザー端末に危険状態が無事に解除されたことを知らせる危険解除メッセージを表示することができる。
【０１４６】
一方、本発明の一実施例により、前記カウントダウンが終了する前まで前記カウントダウンのための時間範囲情報の延長要請が前記サーバーに伝送された場合、前記サーバーは前記ユーザーに特別な犯罪状況が発生していないものと認識／取り扱い、前記タイマーのカウントダウンのための時間範囲情報を延長することができる。この場合、前記時間範囲情報の延長要請が前記第１暗証番号情報または前記第１指紋情報のうち少なくとも一つとともに伝送された場合に限り、前記時間範囲情報を延長するものと設定されてもよい。
【０１４７】
また、前記延長される時間範囲はあらかじめ設定された範囲だけの時間（例えば、１分）であり得るが、もし、ユーザーが前記延長要請に自分が所望する延長時間範囲（例えば、３分）を含ませて伝送する場合、それに対応する時間範囲だけ（３分）前記時間範囲を延長してもよい。
【０１４８】
しかし、前記第２暗証番号情報または前記第２指紋情報のうち少なくとも一つが前記危険状態解除要請に含まれて前記サーバーに伝送された場合、前記サーバーは前記ユーザーに犯罪状況が発生したものと認識／取り扱い、あらかじめ定められた少なくとも一つ以上の受信者端末で前記ユーザーの危険状態情報を共有するように設定され得る。
【０１４９】
この場合、前記サーバーは前記ユーザーの危険状態情報をあらかじめ定められた一つ以上の受信者端末で共有するものの、前記ユーザー端末のタイマーは終了するように制御することができ、ひいては危険状態が無事に解除されたことを知らせる危険解除メッセージを前記ユーザー端末に表示するように制御することができる。
【０１５０】
このように、本発明で危険状態解除要請に含まれ得るユーザーの暗証番号情報または指紋情報が複数個で構成されるものの、それぞれにより互いに異なる処理が実行されるように設定した理由は次の通りである。
【０１５１】
すなわち、犯罪事件が発生した場合を想定してみると、前記ユーザー端末のユーザーは被害者に該当するため、前記犯罪事件の加害者に身体的あるいは精神的に威嚇を受けている状況であり得る。
【０１５２】
この時、もし前記加害者が前記タイマーが実行されていることを認知し、前記ユーザーに前記危険状態解除要請を入力することを押し付けるのであれば、前記ユーザーとしてはやむを得ず危険状態解除要請を入力するしかないであろう。また、このような場合、前記ユーザーは外部に助けの要請を遂行することもできないであろうし、その結果、前記加害者から危害を受けるしかないであろう。
【０１５３】
しかし、本発明の一実施例のように、前記危険状態解除要請に含まれ得るユーザーの暗証番号情報または指紋情報が複数個で構成されるものの、それぞれにより互いに異なる処理を遂行するように設定され得る場合であれば、前記のような問題点を解決することができるという効果が存在する。
【０１５４】
すなわち、前記ユーザーが前述した通り、加害者から危険状態解除要請を入力することを押し付けられる場合であっても、第２暗証番号情報または第２指紋情報を入力することによって前記加害者を安心させるものの、同時に前記加害者に露出することなく自分の危険状態情報をあらかじめ定められた少なくとも一つ以上の受信者端末で共有することができるという効果が存在することになる。
【０１５５】
本発明で、前記タイマーが作動した後、前記タイマーが動作するあらかじめ定められた時間が経過するまで、前記ユーザー端末から安全状態情報が入力されないため前記タイマーが継続して作動する場合、前記サーバーは既設定された保護者端末に前記ユーザーの危険状態情報を知らせる危険状態共有メッセージを伝送することができる。（Ｓ３０４、Ｓ３０５）
【０１５６】
しかし、前記タイマーが動作するあらかじめ定められた時間が経過するまで前記ユーザー端末から安全状態情報が入力される場合、前記サーバーは前記オンラインチャットルームが終了するように設定することができ、前記ユーザー端末が安全状態にあると判断した後、前記タイマーを終了させてもよい。（Ｓ３０６）
【０１５７】
ただし、もし前記あらかじめ定められた時間が経過するまで前記ユーザー端末から安全状態情報が入力されない場合、前記サーバーは前記保護者端末を含む少なくとも一つ以上の受信者端末に前記ユーザーの危険状態メッセージを伝送することができる。（Ｓ３０５）
【０１５８】
この時、前記保護者端末と共に前記ユーザーの危険状態メッセージが共有される前記一つ以上の受信者端末は、警察署、消防署、医療機関のうち少なくとも一つ以上を含む安全機関の端末および前記ユーザーが既設定した少なくとも一つ以上の他の保護者端末を含むことができる。
【０１５９】
一方、本発明で前記タイマーが動作するあらかじめ定められた時間が経過するまで前記ユーザー端末から安全状態情報が入力される場合、前記サーバーは前記オンラインチャットルームが終了するように設定することができる。
【０１６０】
前記安全状態情報は、前記ユーザーの暗証番号情報（例えば、４桁の数字の暗証番号など）で構成され得、これとは異なり指紋情報などの多様な手段が含まれ得る。
【０１６１】
本発明の一実施例によると、前記暗証番号情報は第１暗証番号情報または第２暗証番号情報のように複数個の暗証番号が設定され得、前記指紋情報も第１指紋情報または第２指紋情報のように複数個の指紋が設定され得る。
【０１６２】
理解の便宜を助けるために以下でより具体的な例を挙げて説明することにする。もし、ユーザーが第１暗証番号情報は１００４、第１指紋情報は左側親指の指紋を設定したと仮定し、第２暗証番号情報は２５８０、第２指紋情報は右側の人差し指の指紋を設定したと仮定する。
【０１６３】
この場合、前記第１暗証番号または前記第１指紋情報のそれぞれについては、前記ユーザーに特別な犯罪状況が発生していないことを示すための解釈に認識されるようにあらかじめ設定され得、前記第２暗証番号または前記第２指紋情報のそれぞれについては、前記ユーザーに犯罪状況が発生したが、前記ユーザーが加害者から威嚇を受けている状況であるため、前記ユーザーの危険状態メッセージを保護者端末で共有することを要請するための解釈に認識されるようにあらかじめ設定され得る。ただし、これはあくまでも例示に過ぎず、設定により変わり得、より多くの数の暗証番号情報乃至指紋情報を設定してもよい。
【０１６４】
したがって、本発明の一実施例によると、前記第１暗証番号情報または前記第１指紋情報のうち少なくとも一つが前記安全状態情報として入力されて前記サーバーに伝送された場合、前記サーバーは前記ユーザーに特別な犯罪状況が発生していないものと認識／取り扱り、前記ユーザー端末のタイマーおよび／またはオンラインチャットルームを終了するように制御するものの、前記ユーザー端末に危険状態が無事に解除されたことを知らせる危険解除メッセージを表示することができる。
【０１６５】
このように、本発明で安全状態情報に含まれ得るユーザーの暗証番号情報または指紋情報が複数個で構成されるものの、それぞれにより互いに異なる処理が遂行され得るように設定した理由は次の通りである。
【０１６６】
すなわち、犯罪事件が発生した場合を想定してみると、前記ユーザー端末のユーザーは被害者に該当するため、前記犯罪事件の加害者に身体的あるいは精神的に威嚇を受けている状況であり得る。
【０１６７】
この時、もし前記加害者が前記タイマーが実行されていることを認知し、前記ユーザーに前記安全状態情報を入力することを押し付けるのであれば、前記ユーザーとしてはやむを得ず安全状態情報を入力するしかないであろう。また、このような場合、前記ユーザーは外部に助けの要請を遂行することもできないであろうし、  その結果、前記加害者から危害を受けるしかないであろう。
【０１６８】
しかし、本発明の一実施例のように、前記安全状態情報に含まれ得るユーザーの暗証番号情報または指紋情報が複数個で構成されるものの、それぞれにより互いに異なる処理を遂行するように設定され得る場合であれば、前記のような問題点を解決することができるという効果が存在する。
【０１６９】
すなわち、前記ユーザーが前述した通り、加害者から安全状態情報を入力することを押し付けられる場合であっても、第２暗証番号情報または第２指紋情報を入力することによって前記加害者を安心させるものの、同時に前記加害者に露出することなく自分の危険状態をあらかじめ定められた少なくとも一つ以上の保護者端末で共有することができるという効果が存在することになる。
【０１７０】
一方、本発明の一実施例によると、前記危険状態共有メッセージは、前記ユーザーの危険状態情報を表示するウェブページと連結されるようにするためのウェブリンク（ｗｅｂ−ｌｉｎｋ）情報を含むＳＭＳ（Ｓｈｏｔｒ  Ｍｅｓｓａｇｅ  Ｓｅｒｖｉｃｅ）メッセージであり得る。
【０１７１】
したがって、本発明によると、前記危険状態情報をウェブリンク（ｗｅｂ−ｌｉｎｋ）情報を含むＳＭＳ（Ｓｈｏｔｒ  Ｍｅｓｓａｇｅ  Ｓｅｒｖｉｃｅ）メッセージの形態で保護者端末に提供することができ、この場合、サービスに加入していない保護者端末またはモバイルインスタントメッセージが伝送され得ない２世代移動通信技術（２ｎｄ  Ｇｅｎｅｒａｔｉｏｎ  Ｍｏｂｉｌｅ  Ｔｅｌｅｃｏｍｍｕｎｉｃａｔｉｏｎ）が適用された保護者端末にも、前記ユーザーの危険状態情報が無事に共有され得る効果がある。
【０１７２】
本発明では、保護者または保護対象者を追加したり、保護対象者がタイマーを実行したり、タイマーを実行後に保護対象者が安全確認をしたり、保護対象者がタイマーを実行後終了するまで安全確認をすることができなかったり、危険通知後に保護対象者が安全確認をする場合と関連して、これらのそれぞれの場合に対するメッセージの伝送は、前記保護者および／または保護対象者が本発明が適用され得るアプリケーションまたはサービスの加入者または未加入者であるかどうかによりプッシュ通知またはＳＭＳの形態で提供され得る。
【０１７３】
一方、本発明の一実施例によると、下記の表１に示されたように、少なくとも一つ以上の指定項目からなる一つ以上のシナリオがあらかじめ設定されていてもよい。
【０１７４】
【表１】
2020511707.tif 000003
【０１７５】
本発明で、前記ユーザーが前記シナリオのうちいずれか一つを選択する場合、あるいは前記それぞれのシナリオに対応して設定された条件が達成される場合、前記選択されたシナリオあるいは前記達成された条件に対応するシナリオに含まれた少なくとも一つ以上の指定項目により、前記タイマーの作動および前記危険状態共有メッセージの伝送が遂行され得る。
【０１７６】
この時、前記指定項目は表１に示された通り、タイマー作動時間範囲、ユーザーの安全状態確認周期、前記危険状態共有メッセージに含まれるユーザーの位置関連情報の内容および前記危険状態共有メッセージが伝送される保護者端末の情報を含むことができるが、これはあくまでも例示に過ぎず、設定により変わり得る。
【０１７７】
一方、前述した本発明の技術的特徴は、前記ユーザー端末が既設置されたＡＰＩ（Ａｐｐｌｉｃａｔｉｏｎ  Ｐｒｏｇｒａｍ  Ｉｎｔｅｒｆａｃｅ）またはエンベデッドソフトウェア（Ｅｍｂａｄｅｄ  Ｓｏｆｔｗａｒｅ）を含むアプリケーションを通じて行われ得る。
【０１７８】
この時、前記ユーザー端末のユーザーが本発明を利用するためには、必要に応じて前記ユーザーが前記サーバーによって制御されるアプリケーションに対して、あらかじめ会員加入を遂行しなければならないことが前提となり得るが、これは設定により変わり得る。
【０１７９】
この時、前記会員加入は前記アプリケーションで要請する少なくとも一つ以上の情報（例えば、ＩＤ、暗証番号を含む個人のプロフィールなど）を入力／認証する過程を含んで構成され得、これとは異なり前記会員加入は前記ユーザーの選択により前記アプリケーションとあらかじめ連携されたソーシャルネットワークサービス（Ｓｏｃｉａｌ  Ｎｅｔｗｏｒｋ  Ｓｅｒｖｉｃｅ）またはポータルサービス（Ｐｏｒｔａｌ  Ｓｅｒｖｉｃｅ）の既加入したユーザー情報を直／間接的に連動させて、前記少なくとも一つ以上の情報が自動で入力されるようにする方法で構成されてもよい。
【０１８０】
一方、前記ユーザーが前記アプリケーションに会員加入を遂行する場合、前記ユーザーにタイマーのカウントダウンのための時間範囲情報を入力できる基本時間（例えば、６０分）が提供され得る。
【０１８１】
前述した通り、本発明の実施のためにユーザーは、タイマーのカウントダウンのための時間範囲情報を前記ユーザー端末（または前記ユーザー端末に設置されたアプリケーションなど）を通じて前記サーバーに入力できるが、この時、前記時間範囲情報は前記基本時間の範囲内で入力することができる。
【０１８２】
もし、前記ユーザーが前記基本時間を越える範囲だけ前記時間範囲情報を入力するためには、前記アプリケーション内で別途の決済を遂行して追加時間を購入したり（例えば、１０分に１ドル、１０分に１，０００ウォンなど）、あるいは前記アプリケーションに加入した他のユーザーから追加時間の提供（例えば、プレゼントするなど）を受けなければならないように設定され得、その他にも前記ユーザーが特定のミッション（例えば、前記アプリケーションで提供されるコンテンツ（広告など）を視聴する場合、あらかじめ定められた周期ごとに前記アプリケーションを実行させることによって出席が認められる場合、他のユーザーを推薦して前記他のユーザーが前記アプリケーションに対する会員加入を遂行する場合等）を完了する場合、所定の追加時間が提供されるように設定されてもよい。
【０１８３】
一方、前述した通り、前記サーバーが前記ユーザー端末から前記タイマーのカウントダウンの実行要請を受信すると、前記サーバーは前記時間範囲の間前記タイマーのカウントダウンを実行することができ、このとき、カウントダウンされた時間範囲に対応して前記基本時間乃至追加時間が差し引かれ得る。
【０１８４】
ただし、前記カウントダウンが終了する前まで前記カウントダウンのための時間範囲情報の延長要請が前記サーバーに伝送された場合、前記タイマーのカウントダウンのための時間範囲情報を延長することができるが、この場合、前記延長される時間範囲である延長時間については、前記基本時間乃至追加時間の差し引きがないように設定され得る。
【０１８５】
一方、前記ユーザー端末に設置されたアプリケーション内で前記ユーザーは前記アプリケーションに加入した他のユーザーと一定の関係（例えば、友達関係、親友等、フォロイング、フォローなど）を形成することができ、前記ユーザーは前記一定の関係を結んだ他のユーザーを探索してこれらのうち少なくとも一つ以上を前記ユーザーの危険状態情報が共有され得る受信者端末として設定することもでき、相互間の基本時間乃至追加時間などの残余量、使用内訳などを確認するものの、これを共有してもよい。
【０１８６】
図１２は、本発明の一実施例が適用され得るユーザー端末およびサーバーの構成を説明するためのブロック図である。
【０１８７】
図１２を参照すると、本発明で適用され得るユーザー端末１００およびサーバー２００が図示されている。
【０１８８】
前記サーバー２００は有線または無線接続に必要な接続情報を送受信できる送信部および受信部を含む有無線通信部（Ｒａｄｉｏ  Ｃｏｍｍｕｎｉｃａｔｉｏｎ  ｕｎｉｔ、１２２０）とメモリ部１２２１、ディスプレイ部（１２２２）および制御部（またはプロセッサ、１２２３）を含むことができ、これは例示に過ぎず、図１２に図示された構成以外に他の構成をさらに含むことができ、これとは異なり図１２に図示された構成のうち一部を省略して具現されてもよい。
【０１８９】
また、サーバー２００の信号処理、階層処理などのユーザー端末１００とのデータ通信に対する全般的な過程はメモリ１２２１および制御部１２２３により制御され、前記メモリ部１２２１、有無線通信部１２２０および制御部１２２３間には連結関係が形成され得る。
【０１９０】
サーバー２００に含まれた有無線通信部１２２０は、前述した通り送信部および受信部を含むことができ、送信部および受信部はユーザー端末１００、サーバー２００または図１２に図示されてはいないが少なくとも一つ以上の外部装置とデータまたは信号を送信および受信するように構成され得る。
【０１９１】
制御部１２２３は有無線通信部１２２０内の送信部および受信部と機能的に連結され得、これに伴い、ユーザー端末１００およびサーバー２００間のデータまたは信号を送受信する過程を前記送信部および受信部が制御するように構成され得る。
【０１９２】
また、制御部１２２３は伝送するデータに対する各種前処理を遂行した後に送信部に伝送することができ、その他に受信部が受信したデータに対する後処理を遂行できる。
【０１９３】
必要な場合、制御部１２２３は送受信されたデータに含まれた情報をメモリ部１２２１に保存することもできる。このような構造を有してサーバー２００は前述した本発明の多様な実施形態の方法を遂行できる。
【０１９４】
図１２のユーザー端末１００を参照すると、前記ユーザー端末１００は、送信部および受信部を含む有無線通信部１２１０、メモリ部１２１１、ディスプレイ部１２１２および制御部１２１３を含んで構成され得、ユーザー端末１００の構成については前記にて図２を通じて詳細に説明したため以下では省略することにする。
【０１９５】
ユーザー端末１００およびサーバー２００の制御部１２１３、１２２３は、ユーザー端末１００およびサーバー２００の動作を指示（例えば、制御、調整、管理など）することができ、それぞれの制御部１２１３、１２２３はプログラムコードおよびデータを保存することが可能なメモリ１２１１、１２２１とも連結され得る。
【０１９６】
メモリ１２１１、１２２１は制御部１２１３、１２２３に連結されてオペレーティングシステム（ｏｐｅｒａｔｉｎｇ  ｓｙｓｔｅｍ）、アプリケーション、および一般ファイル（ｇｅｎｅｒａｌ  ｆｉｌｅｓ）を保存することができる。
【０１９７】
本発明の制御部１２１３、１２２３はプロセッサ（Ｐｒｏｃｅｓｓｏｒ）、コントローラ（ｃｏｎｔｒｏｌｌｅｒ）、マイクロコントローラ（ｍｉｃｒｏｃｏｎｔｒｏｌｌｅｒ）、マイクロ・プロセッサ（ｍｉｃｒｏｐｒｏｃｅｓｓｏｒ）、マイクロ・コンピュータ（ｍｉｃｒｏｃｏｍｐｕｔｅｒ）等とも呼称され得る。一方、制御部１２１３、１２２３はハードウェア（ｈａｒｄｗａｒｅ）またはファームウェア（ｆｉｒｍｗａｒｅ）、ソフトウェア、またはこれらの結合によって具現され得る。
【０１９８】
ファームウェアやソフトウェアによる具現の場合、本発明の一実施例は以上で説明された機能または動作を遂行するモジュール、手続き、関数などの形態で具現され得る。ソフトウェアコードはメモリ部１２１１、１２２１に保存されて制御部１２１３、１２２３により駆動され得る。
【０１９９】
この時、メモリ部は前記ユーザー端末１００およびサーバー２００の内部または外部に位置することができ、すでに公知とされている多様な手段によって前記制御部１２１３、１２２３とデータをやり取りすることができる。
【０２００】
一方、前述した方法は、コンピュータで実行され得るプログラムで作成可能であり、コンピュータ読み取り可能媒体を利用して前記プログラムを動作させる汎用デジタルコンピュータで具現され得る。また、前述した方法で使われたデータの構造はコンピュータ読み取り可能媒体に多様な手段を通じて記録され得る。本発明の多様な方法を遂行するための実行可能なコンピュータコードを保存するコンピュータ読み取り可能媒体は、マグネチック保存媒体（例えば、ロム、フロッピーディスク、ハードディスクなど）、光学的読み取り媒体（例えば、ＣＤ−ＲＯＭ、ＤＶＤなど）のような保存媒体を含む。
【０２０１】
本願発明の実施例と関連した技術分野で通常の知識を有する者は、前記記載の本質的な特性から逸脱しない範囲で変形された形態で具現され得ることを理解できるはずである。したがって、開示された方法は限定的な観点ではなく説明的観点で考慮されるべきである。本発明の範囲は発明の詳細な説明ではなく特許請求の範囲に示され、それと同等な範囲内にあるすべての差異点は本発明の範囲に含まれるものと解釈されるべきである。
【０２０２】
本発明のタイマーを利用してユーザーの危険状態を共有する方法およびそのための装置は、危険状態を共有する多様な方法および装置に利用することが可能である。
【図１】
2020511707.tif 000004
【図２】
2020511707.tif 000005
【図３】
2020511707.tif 000006
【図４】
2020511707.tif 000007
【図５】
2020511707.tif 000008
【図６】
2020511707.tif 000009
【図７】
2020511707.tif 000010
【図８】
2020511707.tif 000011
【図９】
2020511707.tif 000012
【図１０】
2020511707.tif 000013
【図１１】
2020511707.tif 000014
【図１２】
2020511707.tif 000015
【国際調査報告】
2020511707.tif 000016
2020511707.tif 000017
2020511707.tif 000018
2020511707.tif 000019